(57)【要約】【課題】モアレ縞の発生を抑制することができる面状照明装置を提供すること。【解決手段】実施形態に係る面状照明装置は、第１照明ユニットと、第２照明ユニットとを備える。第１照明ユニットは、第１の延在方向に延在する第１のプリズムによって配光制御された出射光が第１の照射範囲で被照射体へ出射される。第２照明ユニットは、第１照明ユニットに対して被照射体とは反対側に設けられ、第２の延在方向に延在する第２のプリズムによって配光制御された出射光が第１のプリズムを通過し、第１の照射範囲よりも広い第２の照射範囲で被照射体へ出射される。【選択図】図１
2019207790.tif 000002
【特許請求の範囲】
【請求項１】
第１の延在方向に延在する第１のプリズムによって配光制御された出射光が第１の照射範囲で被照射体へ出射される第１照明ユニットと、
前記第１照明ユニットに対して前記被照射体とは反対側に設けられ、第２の延在方向に延在する第２のプリズムによって配光制御された出射光が前記第１のプリズムを通過し、前記第１の照射範囲よりも広い第２の照射範囲で前記被照射体へ出射される第２照明ユニットと
を備える、面状照明装置。
【請求項２】
前記第１の延在方向および前記第２の延在方向は、略平行である
請求項１に記載の面状照明装置。
【請求項３】
前記第１の延在方向および前記第２の延在方向は、交差する
請求項１に記載の面状照明装置。
【請求項４】
前記第１照明ユニットは、
第１の光源と、
前記第１の光源の光が入射する側面である入射面および前記入射面から入射した前記光を出射する主面である出射面を有する第１の導光板と、
前記第１の導光板の前記入射面および前記第１の光源の間に配置され、前記第１の光源の光の配光角度を制限して前記入射面に入射させる視野制御フィルムと
を備える、請求項１〜３のいずれか１つに記載の面状照明装置。
【請求項５】
前記第２照明ユニットは、
第２の光源と、
前記第２の光源の光が入射する側面である入射面および前記入射面から入射した前記光を出射する主面である出射面を有する第２の導光板と、
前記第２の導光板の前記入射面および前記第２の光源の間に配置され、前記第２の光源の光を拡散して前記入射面に入射させる拡散部材と
を備える、請求項１〜４のいずれか１つに記載の面状照明装置。
【請求項６】
前記拡散部材は、
前記第２の導光板の前記入射面に沿って設けられるシート状の部材である
請求項５に記載の面状照明装置。
【請求項７】
前記第２の導光板の前記入射面とは反対側の終端面に対向し、前記終端面から漏れる光を反射する反射部材をさらに備え、
複数の前記第２のプリズムは、
前記第２の導光板の前記出射面とは反対側の反対面に、前記入射面から前記終端面にかけて、前記出射面から段階的に離れるように形成され、前記反射部材により反射されて前記終端面から前記入射面に向かう光を、第１の光として前記出射面から第１の方向に出射させるとともに、前記入射面に入射された光であって前記入射面から前記終端面に向かう光を、第２の光として前記出射面から前記第１の方向と異なる第２の方向に出射させる、
請求項５または６に記載の面状照明装置。
【請求項８】
複数の前記第２のプリズムのうち前記第１の光を出射させる第１の領域が、複数の平面または曲面を含んでいる
請求項７に記載の面状照明装置。
【発明の詳細な説明】
【技術分野】
【０００１】
本発明は、面状照明装置に関する。
【背景技術】
【０００２】
従来、たとえば、自動車の室内を照らす車内照明用の面状照明装置が知られている。この種の面状照明装置として、たとえば、拡散光を出射して車内を広範囲に照らす、いわゆるドームランプや、集光された光を出射して車内をスポット的に照らす、いわゆるマップランプ等が知られている。
【０００３】
また、このような面状照明装置では、たとえば、光源の光が入射する導光板の表面にプリズムを形成することで、光の配光を制御する技術がある。
【先行技術文献】
【特許文献】
【０００４】
【特許文献１】特開２００７−３３１５７２号公報
【発明の概要】
【発明が解決しようとする課題】
【０００５】
ところで、上記したドームランプおよびマップランプを合わせて１つの製品とした場合、ドームランプおよびマップランプの位置関係によって、モアレ縞が発生するおそれがあった。このようなモアレ縞は、一方のランプの出射光が他方のランプの導光板に形成されたプリズムを通過することによって生じる。
【０００６】
本発明は、上記に鑑みてなされたものであって、モアレ縞の発生を抑制することができる面状照明装置を提供することを目的とする。
【課題を解決するための手段】
【０００７】
上述した課題を解決し、目的を達成するために、本発明の一態様に係る面状照明装置は、第１照明ユニットと、第２照明ユニットとを備える。前記第１照明ユニットは、第１の延在方向に延在する第１のプリズムによって配光制御された出射光が第１の照射範囲で被照射体へ出射される。前記第２照明ユニットは、前記第１照明ユニットに対して前記被照射体とは反対側に設けられ、第２の延在方向に延在する第２のプリズムによって配光制御された出射光が前記第１のプリズムを通過し、前記第１の照射範囲よりも広い第２の照射範囲で前記被照射体へ出射される。
【０００８】
本発明の一態様によれば、モアレ縞の発生を抑制することができる。
【図面の簡単な説明】
【０００９】
【図１】図１は、実施形態に係る面状照明装置の側面図である。
【図２Ａ】図２Ａは、実施形態に係る第１照明ユニットの正面図である。
【図２Ｂ】図２Ｂは、図２ＡにおけるＡ−Ａ線の断面図である。
【図３Ａ】図３Ａは、図２Ａにおける領域Ｂの拡大図である。
【図３Ｂ】図３Ｂは、図３ＡにおけるＥ−Ｅ線の断面図である。
【図４Ａ】図４Ａは、実施形態に係る光源ユニットの上面図である。
【図４Ｂ】図４Ｂは、図４ＡにおけるＦ−Ｆ線の断面図である。
【図５Ａ】図５Ａは、実施形態に係るＴＩＲ−フレネル複合レンズを説明するための図である。
【図５Ｂ】図５Ｂは、図５ＡにおけるＧ−Ｇ線の断面図である。
【図６Ａ】図６Ａは、実施形態に係る第１フィルムについて説明するための図である。
【図６Ｂ】図６Ｂは、実施形態に係る第２フィルムについて説明するための図である。
【図７】図７は、実施形態に係る第２照明ユニットの正面図である。
【図８】図８は、実施形態に係るライトバーを説明するための図である。
【図９】図９は、第１部分および第２部分の一部の拡大図である。
【図１０】図１０は、実施形態に係るライトバーの出射面とは反対側の面に形成されるプリズムを説明するための図である。
【図１１】図１１は、実施形態に係るライトバーの出射面とは反対側の面に形成されるプリズムを説明するための図である。
【図１２】図１２は、実施形態に係るライトバーの出射面に形成されるプリズムを説明するための図である。
【図１３】図１３は、実施形態に係るプリズムシートについて説明するための図である。
【図１４】図１４は、実施形態に係るプリズムシートについて説明するための図である。
【図１５】図１５は、実施形態に係る導光板について説明するための図である。
【図１６】図１６は、実施形態に係る導光板について説明するための図である。
【図１７】図１７は、実施形態に係る出射面に対する第３の領域の傾斜角度の一例を説明するための図である。
【図１８】図１８は、変形例１に係る導光板について説明するための図である。
【図１９】図１９は、変形例１において、第２の方向から利用者が面状照明装置を観察した場合の発光パターンの一例について説明するための図である。
【発明を実施するための形態】
【００１０】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。また、各図面において、説明を分かりやすくするために、面状照明装置の光の出射方向である被照射体側をＺ軸負方向とする３次元の直交座標系を図示する場合がある。
【００１１】
まず、図１を用いて、実施形態に係る面状照明装置の概要について説明する。図１は、実施形態に係る面状照明装置ＰＬの側面図である。図１に示すように、実施形態に係る面状照明装置ＰＬは、第１照明ユニットＰＬ１と、第２照明ユニットＰＬ２とを備える。
【００１２】
実施形態に係る面状照明装置ＰＬは、たとえば、車室内に配置され、車内を照明する照明装置として用いられる。具体的には、第１照明ユニットＰＬ１および第２照明ユニットＰＬ２は、Ｚ軸方向に重ねて配置され、Ｚ軸負方向側である車室内を照明する。より具体的には、図１に示すように、第１照明ユニットＰＬ１は、第２照明ユニットＰＬ２よりもＺ軸負方向側である被照射体側に配置される。また、第１照明ユニットＰＬ１は、いわゆるマップランプであり、車内の乗員の手元をスポット的に照らす照明装置である。また、第２照明ユニットＰＬ２は、いわゆるドームランプであり、車内を広範囲に照らす。
【００１３】
換言すれば、第１照明ユニットＰＬ１は、比較的狭い範囲である第１の照射範囲で出射光を乗員等の被照射体へ出射し、第２照明ユニットＰＬ２は、第１の照射範囲よりも広い第２の照射範囲で出射光を被照射体へ出射する。つまり、第１照明ユニットＰＬ１は、第１の照射範囲に集光された光であるスポット光を出射し、第２照明ユニットＰＬ２は、第２の照射範囲に拡散された光である拡散光を出射する。
【００１４】
また、第１照明ユニットＰＬ１は、導光板４０（第１の導光板の一例）を備え、導光板４０を導光した光がＺ軸負方向側である一方の主面４０ｅ（以下、出射面４０ｅと記載する場合がある）から出射光として出射される。また、導光板４０の他方の主面４０ｆ（以下、反対面４０ｆと記載する場合がある）には、光の配光を制御する線状プリズム（第１のプリズムの一例）が形成される。具体的には、かかるプリズムは、第１の延在方向に延在し、導光板４０を導光する光の進路を出射面４０ｅの方向へ変更する。なお、第１照明ユニットＰＬ１の構成や、反対面４０ｆに形成されるプリズムの詳細については後述する。
【００１５】
また、第２照明ユニットＰＬ２は、導光板１３（第２の導光板の一例）を備え、導光板１３を導光した光がＺ軸負方向側である一方の主面１３ｃ（以下、出射面１３ｃと記載する場合がある）から出射光として出射される。また、図１に示すように、第２照明ユニットＰＬ２の導光板１３は、第１照明ユニットＰＬ１の導光板４０に対してＺ軸正方向側に重なるように配置される。このため、出射面１３ｃから出射された出射光は、第１照明ユニットＰＬ１の導光板４０を通過することで、被照射体へ出射される。また、導光板１３の他方の主面１３ｄ（以下、反対面１３ｄと記載する場合がある）には、光の配光を制御する線状プリズム（第２のプリズムの一例）が形成される。かかるプリズムは、第２の延在方向に延在し、導光板１３を導光する光の進路を出射面１３ｃの方向へ変更する。なお、第２照明ユニットＰＬ２の構成や、反対面１３ｄに形成されるプリズムの詳細については後述する。なお、上記した第１の延在方向と第２の延在方向とは、略平行であってもよく、交差する方向であってもよい。
【００１６】
ここで、参考例として、第２照明ユニットが被照射体に近い側（Ｚ軸負方向側）に配置され、第１照明ユニットが被照射体から遠い側（Ｚ軸正方向側）に配置された場合の面状照明装置について説明する。
【００１７】
参考例の面状照明装置の場合、第１照明ユニットの出射光が第２照明ユニットの導光板を通過して、被照射体へ出射される。つまり、第１照明ユニットの出射光であり、第１照明ユニットの導光板に形成された線状プリズムの作用を受けて出射された出射光であるスポット光（集光された光）が第２照明ユニットの導光板を通過することとなる。このため、スポット光が第２照明ユニットの導光板に形成された線状プリズムの作用をさらに受けることで、光の干渉が生じ、モアレ縞が発生するおそれがあった。なお、第２照明ユニットの出射光（拡散光）は、直接被照射体へ出射されるため、第１照明ユニットの導光板を通過せず、かかる導光板のプリズムの作用を受けることもないため、仮にスポット光であったとしてもモアレ縞は発生しない。
【００１８】
そこで、実施形態に係る面状照明装置ＰＬでは、第１照明ユニットＰＬ１が被照射体に近い側に配置され、第２照明ユニットＰＬ２が被照射体から遠い側に配置される。つまり、第２照明ユニットＰＬ２が、第１照明ユニットＰＬ１に対して被照射体とは反対側に設けられる。
【００１９】
これにより、第１照明ユニットＰＬ１の出射光であるスポット光は、直接被照射体へ出射されるため、第２照明ユニットＰＬ２の導光板１３を通過せず、導光板１３の反対面１３ｄに形成されたプリズムの作用を受けない。その結果、モアレ縞は発生しない。
【００２０】
また、第２照明ユニットＰＬ２の出射光である拡散光は、第１照明ユニットＰＬ１の導光板４０を通過することで、導光板４０の反対面４０ｆに形成されたプリズムの作用を受けるが、（少なくとも線状プリズム長手方向と直交する面内において）拡散光であるため、参考例のスポット光に比べて、光の干渉が生じにくい。すなわち、参考例に比べて、モアレ縞の発生が抑制される。
【００２１】
このように、実施形態に係る面状照明装置ＰＬでは、第２照明ユニットＰＬ２を第１照明ユニットＰＬ１に対して被照射体とは反対側に配置することで、参考例に比べて、モアレ縞の発生を抑制することができる。
【００２２】
以下、第１照明ユニットＰＬ１および第２照明ユニットＰＬ２の構成について具体的に説明する。
【００２３】
＜第１照明ユニットの構成＞
まず、図２Ａ〜図６Ｂを用いて、実施形態に係る第１照明ユニットＰＬ１について説明する。図２Ａは、実施形態に係る第１照明ユニットＰＬ１の正面図であり、図２Ｂは、図２ＡにおけるＡ−Ａ線の断面図である。
【００２４】
図２Ａに示すように、第１照明ユニットＰＬ１は、第１照明部１ａと、第２照明部１ｂとを有し、中心Ｃを軸に第１照明部１ａおよび第２照明部１ｂが左右対称に構成される。
【００２５】
第１照明部１ａは、たとえば、車内の助手席側（図２Ａでは右下側）に出射される光１０１ａを発する光源であり、第２照明部１ｂは、たとえば、車内の運転席側（図２Ａでは左下側）に出射される光１０１ｂを発する光源である。なお、以降においては、第１照明ユニットＰＬ１から出射される光１０１ａ、１０１ｂを総称して「光１０１」と呼称する場合がある。
【００２６】
図２Ａに示すように、第１照明ユニットＰＬ１は、ＬＥＤ（Light  Emitting  Diode）１０と、ＴＩＲ−フレネル複合レンズ２０と、視野制御フィルム３０と、導光板４０と、ハウジングフレーム５０とを備える。
【００２７】
ＬＥＤ１０は、第１の光源の一例であり、点状の光源である。そして、ＬＥＤ１０は、発光面１０ａ（図４Ａ参照）からＴＩＲ−フレネル複合レンズ２０に向けて光を出射する。
【００２８】
ＴＩＲ−フレネル複合レンズ２０は、棒状の部材であり、光の配光を制御する。ＴＩＲ−フレネル複合レンズ２０は、ＬＥＤ１０と視野制御フィルム３０との間に配置され、ＬＥＤ１０から入射された光の配光を制御して、かかる制御された光を視野制御フィルム３０に出射する。これにより、ＬＥＤ１０で発光された光をより多く導光板４０に導くことができることから、第１照明ユニットＰＬ１の発光効率を向上させることができる。なお、かかるＴＩＲ−フレネル複合レンズ２０の詳細については後述する。
【００２９】
視野制御フィルム３０は、棒状の部材であり、光の配光角度を制御する。視野制御フィルム３０は、ＴＩＲ−フレネル複合レンズ２０と導光板４０（入射面４０ｇ）との間に配置され、ＬＥＤ１０から入射された光の配光角度を制御して、かかる制御された光を導光板４０に出射する。具体的には、視野制御フィルム３０は、ＴＩＲ−フレネル複合レンズ２０を介して入射されるＬＥＤ１０の光の配光角度を制限（すなわち、集光）して導光板４０の入射面４０ｇに入射させる。これにより、第１照明ユニットＰＬ１は、スポット光を出射することができる。また、視野制御フィルム３０は、第１フィルム３１と第２フィルム３２とを有する。なお、かかる視野制御フィルム３０の詳細については後述する。
【００３０】
ここまで説明したＬＥＤ１０と、ＴＩＲ−フレネル複合レンズ２０と、視野制御フィルム３０とで構成される光源ユニット２が、導光板４０の側面４０ｃに沿って複数並んで配置される。そして、かかる複数の光源ユニット２が、導光板４０の側面４０ｃに形成される入射面４０ｇに対して、かかる入射面４０ｇの法線方向に向かう線状（または帯状）の光１００ａ、１００ｂを出射する。
【００３１】
このように、線状の光を発する光源ユニット２を複数並べて用いることにより、導光板４０から光を発光させることができる。なお、第１照明部１ａでは光源ユニット２から光１００ａが出射され、第２照明部１ｂでは光源ユニット２から光１００ｂが出射される。なお、以降においては、光１００ａ、１００ｂを総称して「光１００」と呼称する場合がある。
【００３２】
ハウジングフレーム５０は、光源ユニット２や導光板４０を保持し収納する。ハウジングフレーム５０は、たとえば、合成樹脂や金属で形成される。また、図２Ｂに示すように、ハウジングフレーム５０には、導光板４０の主面４０ｅ側に開口部５０ａが形成され、導光板４０の主面４０ｆ側に開口部５０ｂが形成されている。そして、かかる開口部５０ａ、５０ｂから導光板４０が露出している。
【００３３】
なお、図２Ａにおいて、説明の便宜上、光源ユニット２が配置された箇所におけるハウジングフレーム５０のＺ軸正方向側の部分の図示が省略されている。
【００３４】
導光板４０は、上面視で略矩形状に形成されており、第１照明部１ａに含まれる第１導光部４０ａと、第２照明部１ｂに含まれる第２導光部４０ｂとを有する。すなわち、導光板４０は、中心Ｃを境界にして第１導光部４０ａと第２導光部４０ｂとに仮想的に分けられる。
【００３５】
また、導光板４０は、図２Ｂに示すように、複数の光源ユニット２に向かい合う側面４０ｃと、かかる側面４０ｃとは反対側の側面４０ｄと、主面４０ｅと、かかる主面４０ｅとは反対側の主面４０ｆとを有する。
【００３６】
側面４０ｃは、図２Ａに示すように、Ｘ軸方向に延在する面である。側面４０ｃは、複数の入射面４０ｇを有し、かかる入射面４０ｇは、側面４０ｃに対して傾斜するテーパ形状を有する。具体的には、入射面４０ｇは、中心Ｃから外側に向かうにしたがい徐々に反対側の側面４０ｄとの距離が遠くなるように傾斜している。なお、図２Ａでは、側面４０ｃの一部を入射面４０ｇとしたが、例えば、側面４０ｃ全体が入射面４０ｇであってもよい。
【００３７】
また、導光板４０は、図２Ｂに示すように、中心Ｃと平行に切断した場合に、側面４０ｃから側面４０ｄに向かうにしたがい徐々に厚さが小さくなるくさび形状を有する。すなわち、導光板４０は、光源ユニット２から離れるほど主面４０ｅと主面４０ｆとの間隔が狭くなる。
【００３８】
主面４０ｅ、４０ｆは、ＸＹ平面に沿って広がる略矩形状の面である。主面４０ｅは、入射面４０ｇから入射された光が出射される出射面４０ｅである。主面４０ｆは、出射面４０ｅとは反対側に配置される反対面４０ｆである。
【００３９】
導光板４０は、透明材料（たとえば、ポリカーボネート樹脂）で構成されており、所望の透光性を有する。たとえば、導光板４０は、全体が透けており、反対面４０ｆ側に存在する物体が、ハウジングフレーム５０の開口部５０ａ、５０ｂを介して、出射面４０ｅ側から視認できるように構成される。また、後述する第２照明ユニットＰＬ２の出射光が、開口部５０ｂから導光板４０に入射する。
【００４０】
図２Ｂに示すように、出射面４０ｅは、光源ユニット２から導光板４０に照射される光１００と略平行に配置される。一方で、反対面４０ｆは、光１００から傾斜して配置される。また、反対面４０ｆには、複数のプリズム４０ｈ（第１のプリズムの一例：図３Ａ参照）が並んで配置される。つづいて、導光板４０に形成されるプリズム４０ｈの詳細について、図３Ａおよび図３Ｂを参照しながら説明する。
【００４１】
図３Ａは、図２Ａにおける領域Ｂの拡大図である。すなわち、図３Ａは第１導光部４０ａおよび第２導光部４０ｂの拡大図である。また、図３Ｂは、図３ＡにおけるＥ−Ｅ線の断面図である。
【００４２】
図３Ｂに示すように、導光板４０の反対面４０ｆには、複数のプリズム４０ｈがＹ軸方向に沿って並んで形成される。また、複数のプリズム４０ｈそれぞれは、Ｘ軸方向である第１の延在方向に延在している。プリズム４０ｈは、平行領域４０ｈ１と傾斜領域４０ｈ２とを有する。
【００４３】
平行領域４０ｈ１は、略平面状であり、図３Ｂに示すように、出射面４０ｅと略平行である。傾斜領域４０ｈ２は、略平面状であり、出射面４０ｅに対して傾斜している。具体的には、傾斜領域４０ｈ２は、光源ユニット２から遠ざかるにしたがい、出射面４０ｅに近づく方向に傾斜している。より具体的には、傾斜領域４０ｈ２は、出射面４０ｅと略平行である仮想的な面４０ｉに対して所定のプリズム角度α１だけ傾斜している。また、１つのプリズム４０ｈの傾斜領域４０ｈ２は、隣接するプリズム４０ｈの平行領域４０ｈ１に連続して形成される。
【００４４】
このようにプリズム４０ｈのプリズム角度α１を所定の角度に設定することにより、光１０１が出射される角度θを適宜制御することができる。これにより、出射光を第１の照射範囲にできるため、運転者や助手席に座る人の手元のみに限定して光を照らすことができることから、運転者や助手席に座る人がまぶしく感じることを抑制することができる。
【００４５】
かかる断面形状を有するプリズム４０ｈが、図３Ｂに示すように、光源ユニット２から導光板４０に照射される光１００の進路を変更させて、第１照明ユニットＰＬ１から出射される光１０１として出射面４０ｅから出射させる。具体的には、プリズム４０ｈの傾斜領域４０ｈ２で出射面４０ｅに向けて光１００が反射される。このように、プリズム４０ｈによって、光１０１の配光を制御することができる。
【００４６】
また、平行領域４０ｈ１と出射面４０ｅとを略平行にすることにより、反対面４０ｆ側に存在する物体を出射面４０ｅ側から視認する際に、視認される物体の物理的な連続性を高くすることができる。すなわち、平行領域４０ｈ１と出射面４０ｅとを略平行にすることにより、視認される物体の歪みを小さくすることができる。したがって、導光板４０は高い透光性を有する。
【００４７】
さらに、平行領域４０ｈ１を出射面４０ｅと略平行にすることにより、入射される光１００が、平行領域４０ｈ１で反射する際に、出射される光１０１の角度θがずれることを抑制することができる。したがって、光１０１の配光分布を精度よく制御することができる。なお、角度θとは、出射面４０ｅ対して略直交する方向４０ｊからのずれ角を指す。
【００４８】
実施形態では、さらに、図３Ａに示すように、プリズム４０ｈの平行領域４０ｈ１および傾斜領域４０ｈ２の延伸方向に対して、光源ユニット２からの光１００ａおよび光１００ｂが斜めに入射する。具体的には、第１導光部４０ａでは、光１００ａがＸ軸負方向かつＹ軸正方向からＸ軸正方向かつＹ軸負方向に向かって入射され、第２導光部４０ｂでは、光１００ｂがＸ軸正方向かつＹ軸正方向からＸ軸負方向かつＹ軸負方向に向かって入射される。
【００４９】
一方で、第１導光部４０ａおよび第２導光部４０ｂでは、平行領域４０ｈ１および傾斜領域４０ｈ２が、いずれもＸ軸方向に向かって延びている。すなわち、プリズム４０ｈは、側面４０ｃに沿った方向に延伸する。
【００５０】
このように、プリズム４０ｈの延伸方向に対して光源ユニット２からの光１００ａ、１００ｂを斜めに入射することにより、図３Ａに示すように、光１００ａ、１００ｂのＸ軸方向における進路を変更させて、進路が変更された光１０１ａ、１０１ｂを出射面４０ｅから出射させることができる。
【００５１】
具体的には、第１導光部４０ａではＸ軸正方向かつＹ軸負方向に向かって光１０１ａが出射され、第２導光部４０ｂでは、Ｘ軸負方向かつＹ軸負方向に向かって光１０１ｂが出射される。すなわち、導光板４０からは、光源ユニット２から離れる方向かつＸ軸方向の両方向に向かって光が出射される。このように、プリズム４０ｈにより、光１０１の配光分布を精度よく制御することができる。
【００５２】
ここまで説明したように、実施形態に係る第１照明ユニットＰＬ１では、側面４０ｃに対して斜めに入射される光１００を、側面４０ｃに沿って形成されるプリズム４０ｈで向きを変化させることにより、光１０１の配光分布（導光板４０の出射面４０ｅにおける直交する２軸方向の配光分布）を精度よく制御することができる。また、上述のように、第１照明ユニットＰＬ１では導光板４０が高い透光性を有する。すなわち、実施形態によれば、透光性と高い配光性とを両立させることができる。
【００５３】
また、実施形態では、図３Ａに示すように、第１導光部４０ａに形成されるプリズム４０ｈと、第２導光部４０ｂに形成されるプリズム４０ｈとが、同じ方向に向かって連続的に形成されるとよい。換言すると、第１導光部４０ａと第２導光部４０ｂとの間にプリズム４０ｈの形状が変化する境界線が形成されないとよい。
【００５４】
もし仮に、第１導光部４０ａと第２導光部４０ｂとの間にプリズム４０ｈの形状が変化する境界線が形成される場合、第１照明ユニットＰＬ１の第１照明部１ａと第２照明部１ｂとのいずれかのみが発光する際に、導光板４０内を通る光がかかる境界線で乱反射を起こし、境界線が見切り線として運転者や助手席に座る人に目視されてしまう。
【００５５】
また、第１照明ユニットＰＬ１が点灯していない場合でも、かかる境界線が目視可能であることから、プリズム４０ｈの形状が変化する境界部において導光板４０の透光性が低下してしまう。
【００５６】
しかしながら、実施形態では、第１導光部４０ａと第２導光部４０ｂとの間にプリズム４０ｈの形状が変化する境界線が形成されないことから、境界線が見切り線として目視されることを抑制することができる。さらに、プリズム４０ｈの形状が変化する境界部において、導光板４０の透光性が低下することも抑制することができる。
【００５７】
また、実施形態では、図２Ａに示したように、入射面４０ｇは、側面４０ｃに対して傾斜するテーパ形状を有するとよい。これにより、出射させたい運転席側や助手席側にあらかじめある程度傾けた光１００を入射面４０ｇに略垂直に入射させることができることから、入射効率が向上するとともに、導光板４０内で所定の方向に向いた光１０１を出射させる際に、かかる光１０１の配光分布を精度よく制御することができる。
【００５８】
したがって、実施形態によれば、運転者や助手席に座る人の手元のみに限定して光を照らすことができることから、運転者や助手席に座る人がまぶしく感じることを抑制することができる。
【００５９】
さらに、実施形態では、第１照明部１ａと第２照明部１ｂとで異なる傾きのテーパ形状を有する入射面４０ｇが形成されている。これにより、第１導光部４０ａと第２導光部４０ｂとに形成されるプリズム４０ｈを同じ方向に向かって連続的に形成したとしても、異なる２方向に光１０１ａ、１０１ｂを出射させることができる。
【００６０】
また、実施形態では、図２Ａに示したように、各照明部（第１照明部１ａおよび第２照明部１ｂ）に複数（実施形態では２個）の光源ユニット２が配置される場合に、それぞれの光源ユニット２と向かい合う入射面４０ｇの側面４０ｃに対する傾斜角度が異なるとよい。
【００６１】
これにより、各光源ユニット２の配光中心をずらすことができることから、運転者や助手席に座る人の手元における所望の配光面積より、出射される光１０１の配光分布が小さくなった場合にも、所望の配光面積すべてを照射可能な配光分布を得ることができる。
【００６２】
なお、実施形態では、すべての入射面４０ｇが側面４０ｃに対して傾斜した例について示しているが、すべての入射面４０ｇが側面４０ｃに対して傾斜している必要はなく、少なくとも１つの入射面４０ｇが側面４０ｃに対して傾斜していればよい。
【００６３】
また、実施形態では、平行領域４０ｈ１と出射面４０ｅとが完全に平行である必要はない。たとえば、平行領域４０ｈ１は、出射面４０ｅとの成す角度が０°以上５°以下であればよい。さらに、平行領域４０ｈ１は、出射面４０ｅとの成す角度が０°以上１°以下であれば好ましく、出射面４０ｅとの成す角度が０°以上０．５°以下であればより好ましい。
【００６４】
また、実施形態では、図３Ｂに示すように、プリズム４０ｈのＹ軸方向における長さＬ１に対する、平行領域４０ｈ１のＹ軸方向における長さＬ２の比率が、６０％以上１００％未満であればよい。なお、長さＬ１は、長さＬ２と、傾斜領域４０ｈ２のＹ軸方向における長さＬ３との和である。
【００６５】
つづいて、実施形態に係る光源ユニット２の詳細について説明する。最初に、光源ユニット２の構成について、図４Ａおよび図４Ｂを参照しながら説明する。図４Ａは、実施形態に係る光源ユニット２の上面図であり、図４Ｂは、図４ＡにおけるＦ−Ｆ線の断面図である。なお、図４Ａでは、手前側の黒色樹脂６１、白色樹脂６２および反射フィルム６３の図示を省略している。
【００６６】
上述のように、光源ユニット２は、ＬＥＤ１０と、ＴＩＲ−フレネル複合レンズ２０と、視野制御フィルム３０とを備える。また、視野制御フィルム３０は、第１フィルム３１と、第２フィルム３２とを有する。
【００６７】
ＬＥＤ１０は、光を発する発光面１０ａを有し、かかる発光面１０ａがＴＩＲ−フレネル複合レンズ２０の入光面２０ａに対向した状態で、ＴＩＲ−フレネル複合レンズ２０の入光面２０ａ側に配置される。そして、ＬＥＤ１０は、発光面１０ａからＴＩＲ−フレネル複合レンズ２０の入光面２０ａに向けて光を出射する。
【００６８】
ＴＩＲ−フレネル複合レンズ２０は、光の配光を制御する。ＴＩＲ−フレネル複合レンズ２０は、ＬＥＤ１０と視野制御フィルム３０との間に配置される。ＴＩＲ−フレネル複合レンズ２０は、ＬＥＤ１０の発光面１０ａに対向する入光面２０ａと、かかる入光面２０ａとは反対側の出光面２０ｂとを有する。
【００６９】
ここで、ＴＩＲ−フレネル複合レンズ２０の詳細について、図５Ａおよび図５Ｂを参照しながら説明する。図５Ａは、実施形態に係るＴＩＲ−フレネル複合レンズ２０を説明するための図である。
【００７０】
ＴＩＲ−フレネル複合レンズ２０の入光面２０ａには、複数のプリズム２０ｃ、２０ｄが長手方向に並んで形成される。かかる複数のプリズム２０ｃ、２０ｄは、ＴＩＲ−フレネル複合レンズ２０の中心を基準に左右対称に形成される。
【００７１】
プリズム２０ｃは、ＴＩＲ−フレネル複合レンズ２０における内側の領域に形成され、プリズム２０ｄは、ＴＩＲ−フレネル複合レンズ２０における外側の領域に形成される。そして、ＴＩＲ−フレネル複合レンズ２０は、プリズム２０ｃが屈折型プリズムであり、プリズム２０ｄが全反射型プリズムとしてのＴＩＲ（Total  Internal  Reflection）プリズムであるリニアフレネルレンズとして構成される。
【００７２】
そして、図５Ａに示すように、ＬＥＤ１０から放射状に出射される光１０２は、プリズム２０ｃでは屈折され、プリズム２０ｄでは内部で全反射されることにより、傾斜角が小さくなるようにその配向性が制御される。したがって、プリズム２０ｃ、２０ｄにより、長手方向の配光分布を精度よく制御することができる。
【００７３】
図５Ｂは、図５ＡにおけるＧ−Ｇ線の断面図である。図５Ｂに示すように、ＴＩＲ−フレネル複合レンズ２０の出光面２０ｂには、複数のプリズム２０ｅが、ＴＩＲ−フレネル複合レンズ２０の短手方向に沿って並んで形成される。プリズム２０ｅは、傾斜面２０ｅ１と傾斜面２０ｅ２とを有する。
【００７４】
傾斜面２０ｅ１は、ＴＩＲ−フレネル複合レンズ２０の短手方向における一端（側面２０ｇ側）から他端（側面２０ｈ側）に向かうにしたがい、出光面２０ｂに平行な仮想的な面２０ｆから離れる方向に傾斜している。傾斜面２０ｅ２は、ＴＩＲ−フレネル複合レンズ２０の短手方向における一端（側面２０ｇ側）から他端（側面２０ｈ側）に向かうにしたがい、出光面２０ｂに平行な面２０ｆに近づく方向に傾斜している。
【００７５】
そして、傾斜面２０ｅ１と傾斜面２０ｅ２との成す角（プリズム２０ｅの頂角）の頂角度α２は、たとえば９０°である。また、傾斜面２０ｅ１と面２０ｆとの成す角度α３、および傾斜面２０ｅ２と面２０ｆとの成す角度α４は、たとえば４５°である。
【００７６】
ここで、図５Ｂに示すように、プリズム２０ｅが、ＴＩＲ−フレネル複合レンズ２０から出射される光１０３の進路を出光面２０ｂと垂直な方向に変更させることにより、かかる光１０３をより多く視野制御フィルム３０に入射させることができる。このように、プリズム２０ｅにより、短手方向の配光分布を精度よく制御することができる。
【００７７】
すなわち、実施形態に係るＴＩＲ−フレネル複合レンズ２０では、プリズム２０ｃ、２０ｄ、２０ｅにより、長手方向および短手方向の配光分布を精度よく制御することができる。
【００７８】
なお、プリズム２０ｅの頂角度φ２を９０°にした場合、導光板４０の出射面４０ｅにおける短手方向の配光角を最も狭くすることができる。一方で、頂角度φ２を９０°より大きくすることによって、導光板４０の出射面４０ｅにおける短手方向の配光を広くすることができる。
【００７９】
図４Ａおよび図４Ｂの説明に戻る。視野制御フィルム３０は、光の配光角度を制御する。視野制御フィルム３０は、ＴＩＲ−フレネル複合レンズ２０と導光板４０との間に配置され、第１フィルム３１と第２フィルム３２とを有する。
【００８０】
第１フィルム３１は、ＴＩＲ−フレネル複合レンズ２０の出光面２０ｂに対向する入光面３１ａと、かかる入光面３１ａとは反対側の出光面３１ｂとを有する。また、第２フィルム３２は、第１フィルム３１の出光面３１ｂに対向する入光面３２ａと、かかる入光面３２ａとは反対側の出光面３２ｂとを有する。
【００８１】
ここで、第１フィルム３１および第２フィルム３２の詳細について、図６Ａおよび図６Ｂを参照しながら説明する。図６Ａは、実施形態に係る第１フィルム３１について説明するための図であり、具体的には第１フィルム３１を導光板４０の出射面４０ｅと平行な面で切断した場合の断面図である。
【００８２】
図６Ａに示すように、第１フィルム３１は、基材である光透過部３１ｃと、複数の光吸収部３１ｄとを有する。光透過部３１ｃは、光を透過する機能を有し、たとえば、光透過性樹脂で構成される。光吸収部３１ｄは、光を吸収する機能を有し、たとえば、光吸収性樹脂で構成される。かかる光吸収部３１ｄは、帯形状を有し、かかる帯形状の長手方向が所定の向き（たとえば、導光板４０の出射面４０ｅと平行な面で切断した場合に、入光面３１ａと垂直な方向）に揃って向くように配置される。
【００８３】
これにより、図６Ａに示すように、たとえば、入光面３１ａと垂直な方向に対する傾きが小さい光１０４や光１０５が入光面３１ａから出光面３１ｂまで光透過部３１ｃを透過することができるのに対し、入光面３１ａと垂直な方向に対する傾きが大きい光１０６は光吸収部３１ｄで吸収され、出光面３１ｂまで到達できない。
【００８４】
すなわち、第１フィルム３１を設けることにより、導光板４０の出射面４０ｅと平行な面で切断した場合に、入光面３１ａと垂直な方向から大きく外れる不要な光（たとえば、光１０６）が導光板４０に入光することを抑制することができる。これにより、導光板４０で向きが変えられて出射される光のＸ軸方向における配光性を向上させることができる。
【００８５】
実施形態では、導光板４０の出射面４０ｅと平行な面で切断した場合に、第１フィルム３１の出光面３１ｂから出光する光が、半値全幅で２０°以下であるとよい。また、第１フィルム３１は、導光板４０の出射面４０ｅと平行な面で切断した場合に、配光角度を±６０°以下の範囲で制限するとよい。これにより、導光板４０で向きが変えられて出射される光のＸ軸方向における配光性をさらに向上させることができる。
【００８６】
図６Ｂは、実施形態に係る第２フィルム３２について説明するための図であり、具体的には、第２フィルム３２を長手方向と垂直な面で切断した場合の断面図である。
【００８７】
第２フィルム３２は、第１フィルム３１と同様に、基材である光透過部３２ｃと、複数の光吸収部３２ｄとを有する。一方で、帯形状を有する光吸収部３２ｄは、第１フィルム３１と異なり、第２フィルム３２を長手方向と垂直な面で切断した場合に、帯形状の長手方向が入光面３２ａと垂直な方向に揃って向くように配置される。
【００８８】
これにより、図６Ｂに示すように、長手方向と垂直な面で切断した場合に、入光面３２ａから出光面３２ｂまでの光透過部３２ｃを、入光面３２ａと垂直な方向に対する傾きが小さい光１０７や光１０８は透過することができる。これに対し、入光面３２ａと垂直な方向に対する傾きが大きい光１０９は光吸収部３２ｄで吸収され、出光面３２ｂまで到達できない。
【００８９】
すなわち、第２フィルム３２を設けることにより、第２フィルム３２の長手方向と垂直な面で切断した場合に、入光面３２ａと垂直な方向から大きく外れる不要な光（たとえば、光１０９）が導光板４０に入光することを抑制することができる。
【００９０】
実施形態では、長手方向と垂直な面で切断した場合に、第２フィルム３２の出光面３２ｂから出光する光が、半値全幅で２０°以下であるとよい。また、第２フィルム３２は、長手方向と垂直な面で切断した場合に、配光角度を±６０°以下の範囲で制限するとよい。これにより、導光板４０で向きが変えられて出射される光のＹ軸方向における配光性をさらに向上させることができる。
【００９１】
ここまで説明したように、実施形態では、光吸収部３１ｄ、３２ｄの配置が異なる第１フィルム３１と第２フィルム３２とを組み合わせて視野制御フィルム３０を構成することにより、導光板４０で向きが変えられて出射される光のＸ軸方向およびＹ軸方向における配光性を向上させることができる。
【００９２】
なお、視野制御フィルム３０は、第１フィルム３１と第２フィルム３２とを直接貼り合わせて構成してもよい。これにより、第１フィルム３１と第２フィルム３２との間での屈折率の変化を抑制することができることから、第１フィルム３１と第２フィルム３２との間で光が減衰することを抑制することができる。したがって、第１照明ユニットＰＬ１の発光効率を向上させることができる。
【００９３】
また、視野制御フィルム３０において、第１フィルム３１と第２フィルム３２との配置は図４Ａなどに示した場合に限られず、第２フィルム３２を第１フィルム３１よりＬＥＤ１０に近い位置に（すなわち、第１フィルム３１と第２フィルム３２とを逆に）配置してもよい。
【００９４】
図４Ａおよび図４Ｂの説明に戻る。光源ユニット２は、ここまで説明した構成部材の他に、ＦＰＣ（Flexible  Printed  Circuit）６０と、黒色樹脂６１と、白色樹脂６２と、鏡面反射フィルム６３とをさらに備える。
【００９５】
ＦＰＣ６０は、ＬＥＤ１０が実装される基板である。ＦＰＣ６０は、ＬＥＤ１０を実装可能に構成される実装面を有し、かかる実装面にＬＥＤ１０の発光面１０ａとは反対側の面が接合される。
【００９６】
ＦＰＣ６０には、図示しない駆動回路が接続される。そして、かかる駆動回路により、ＦＰＣ６０を介してＬＥＤ１０が駆動され、ＬＥＤ１０が点灯する。すなわち、ＬＥＤ１０は、実装されるＦＰＣ６０が発光面１０ａと略平行であるトップビュー型のＬＥＤである。なお、ＬＥＤ１０は、トップビュー型のＬＥＤに限られず、実装されるＦＰＣ６０が発光面１０ａと直交するサイドビュー型のＬＥＤであってもよい。
【００９７】
黒色樹脂６１は、ポリカーボネートなどで構成され、高い吸収率を有する樹脂である。黒色樹脂６１は、箱形状を有し、光源ユニット２の各構成部材を囲むように設けられる。
【００９８】
白色樹脂６２は、ポリカーボネートなどで構成され、高い反射率を有する樹脂である。白色樹脂６２は、黒色樹脂６１と光源ユニット２の各構成部材との間に設けられる。白色樹脂６２には、ＬＥＤ１０とＴＩＲ−フレネル複合レンズ２０との間に断面略扇状の開口部６２ａが形成され、かかる開口部６２ａをＬＥＤ１０から出射された光が通過して、ＴＩＲ−フレネル複合レンズ２０に到達する。
【００９９】
鏡面反射フィルム６３は、高い反射率を有するフィルムであり、白色樹脂６２に形成される開口部６２ａを囲むように設けられる。かかる鏡面反射フィルム６３を設けることにより、ＬＥＤ１０から開口部６２ａを通過してＴＩＲ−フレネル複合レンズ２０に到達する光の減衰を抑制することができる。したがって、第１照明ユニットＰＬ１の発光効率を向上させることができる。
【０１００】
なお、図４Ａおよび図４Ｂに示す例では、鏡面反射フィルム６３がＬＥＤ１０に隣接しないように設けられているが、これは、発光時にＬＥＤ１０から発せられる熱により鏡面反射フィルム６３が劣化する恐れがあるからである。したがって、耐熱性の高い鏡面反射フィルム６３を用いて、ＬＥＤ１０に隣接するように鏡面反射フィルム６３を設けることにより、第１照明ユニットＰＬ１の発光効率をさらに向上させることができる。
【０１０１】
また、上述の実施形態では、助手席側を照らす第１照明部１ａと、運転席側を照らす第２照明部１ｂとが左右対称に構成されていたが、必ずしも左右対称に構成する必要はない。たとえば、助手席側および運転席側のそれぞれに必要な照射位置や照度に基づいて、光源ユニット２の数や入射面４０ｇのテーパ角度などを適宜調整してもよい。
【０１０２】
また、上述の実施形態では、光源ユニット２にＴＩＲ−フレネル複合レンズ２０が設けられた例について示したが、光源ユニット２に設けられるレンズはＴＩＲ−フレネル複合レンズ２０に限られず、凸レンズや凹レンズ、複合レンズなどを設けてもよい。
【０１０３】
＜第２照明ユニットの構成＞
次に、図７〜図１９を用いて、第２照明ユニットＰＬ２の構成について説明する。図７は、実施形態に係る第２照明ユニットＰＬ２の正面図である。
【０１０４】
図７に示すように、第２照明ユニットＰＬ２は、ハウジングフレーム１１と、ＦＰＣ１２ａ，１２ｂと、導光板１３と、反射フィルム１４と、線状光源１５とを備える。線状光源１５は、ＬＥＤ１５ａ，１５ｂと、ライトバー１５ｃと、プリズムシート１５ｄと、拡散シート１５ｅとを備える。
【０１０５】
ハウジングフレーム１１は、ＦＰＣ１２ａ，１２ｂ、導光板１３、反射フィルム１４、線状光源１５を保持し、収納する。ハウジングフレーム１１は、たとえば、合成樹脂や金属で形成されている。なお、図７において、説明の便宜上、ハウジングフレーム１１のＺ軸のプラス方向側の部分の図示が省略されている。ハウジングフレーム１１には、開口部１１ａが形成されている。開口部１１ａから光が出射される。
【０１０６】
ＦＰＣ１２ａは、ＬＥＤ１５ａが実装される基板である。ＦＰＣ１２ａは、ＬＥＤ１５ａが載置される面である実装面を有する。ＦＰＣ１２ｂは、ＬＥＤ１５ｂが実装される基板である。ＦＰＣ１２ｂは、ＬＥＤ１５ｂが載置される面である実装面を有する。
【０１０７】
ＦＰＣ１２ａ，１２ｂには、図示しない駆動回路が接続されている。かかる駆動回路により、ＦＰＣ１２ａ，１２ｂを介して、ＬＥＤ１５ａ，１５ｂが駆動されて光を発する（ＬＥＤ１５ａ，１５ｂが点灯する）。
【０１０８】
導光板１３は、透明材料（たとえば、ポリカーボネート樹脂）を用いて上面視で矩形状に形成されている。導光板１３は、拡散シート１５ｅが配置される側の側面である入射面１３ａと、反射フィルム１４が配置される側の側面であり、入射面１３ａとは反対側の面である終端面１３ｂと、主面１３ｃとを有する。
【０１０９】
導光板１３の入射面１３ａおよび導光板１３の終端面１３ｂは、Ｘ軸方向に延伸する短冊状の面である。入射面１３ａには、拡散シート１５ｅによって拡散された光が入射される。終端面１３ｂからは、入射面１３ａに入射され、導光板１３内を進んだ光の一部が漏れる。また、終端面１３ｂには、反射フィルム１４により反射された光が入射される。
【０１１０】
導光板１３の主面１３ｃは、ＸＹ平面に沿って広がる矩形状の平面である。主面１３ｃは、入射面１３ａに入射された光が出射される出射面１３ｃである。なお、出射面１３ｃから出射される光には、反射フィルム１４により反射された光、および、反射フィルム１４により反射されていない光が含まれる。
【０１１１】
導光板１３は、所望の透光性を有する。たとえば、導光板１３は、全体が透けて、出射面１３ｃとは反対側の後述する主面１３ｄ（図１５および図１６参照）側に存在する物体が出射面１３ｃ側から視認できるような透光性を有する。
【０１１２】
反射フィルム１４は、導光板１３の終端面１３ｂ側に配置され、終端面１３ｂから漏れる光を反射する。反射フィルム１４により反射された光は、終端面１３ｂから入射される。すなわち、反射フィルム１４は、導光板１３の入射面１３ａとは反対側の終端面１３ｂに対向し、終端面１３ｂから漏れる光を反射する。反射フィルム１４は、反射部材の一例である。
【０１１３】
線状光源１５は、光を出射する。線状光源１５は、第２の光源の一例である。
【０１１４】
線状光源１５のＬＥＤ１５ａ，１５ｂは、点状の光源である。ＬＥＤ１５ａは、光を発する発光面１５ａ＿１を有し、ＬＥＤ１５ｂは、光を発する発光面１５ｂ＿１を有する。ＬＥＤ１５ａは、発光面１５ａ＿１がライトバー１５ｃの入光面１５ｃ＿１に対向した状態で、入光面１５ｃ＿１側に配置される。また、ＬＥＤ１５ｂは、発光面１５ｂ＿１がライトバー１５ｃの入光面１５ｃ＿２に対向した状態で、入光面１５ｃ＿２側に配置される。したがって、ＬＥＤ１５ａは、入光面１５ｃ＿１に入射される光を発し、ＬＥＤ１５ｂは、入光面１５ｃ＿２に入射される光を発する。
【０１１５】
また、ＬＥＤ１５ａの発光面１５ａ＿１とは反対側の面がＦＰＣ１２ａの実装面に載置され、ＬＥＤ１５ｂの発光面１５ｂ＿１とは反対側の面がＦＰＣ１２ｂの実装面に載置される。すなわち、ＬＥＤ１５ａ，１５ｂは、トップビュー型のＬＥＤである。なお、ＬＥＤ１５ａ，１５ｂは、サイドビュー型のＬＥＤであってもよい。
【０１１６】
ライトバー１５ｃは、点状の光源であるＬＥＤ１５ａ，１５ｂにより入射された光を線状の光に変換して導光板１３に向けて出射する。ライトバー１５ｃは、棒状に形成され、入光面１５ｃ＿１，１５ｃ＿２、出射面１５ｃ＿３、および、出射面１５ｃ＿３とは反対側の面１５ｃ＿４を有する。ライトバー１５ｃの入光面１５ｃ＿１は、ライトバー１５ｃの長手方向（Ｘ軸方向）における一端側の端面である。入光面１５ｃ＿１には、ＬＥＤ１５ａが発した光が入射される。ライトバー１５ｃの入光面１５ｃ＿２は、ライトバー１５ｃの長手方向における他端側の端面である。入光面１５ｃ＿２には、ＬＥＤ１５ｂが発した光が入射される。ライトバー１５ｃの出射面１５ｃ＿３は、入射された光を出射する。
【０１１７】
プリズムシート１５ｄは、光の配光を制御する。プリズムシート１５ｄは、ライトバー１５ｃの出射面１５ｃ＿３と拡散シート１５ｅとの間に配置される。プリズムシート１５ｄは、ライトバー１５ｃの出射面１５ｃ＿３と対向する一面１５ｄ＿１と、一面１５ｄ＿１とは反対側の面１５ｄ＿２とを有する。プリズムシート１５ｄは、ライトバー１５ｃから出射された光の配光を制御して出射する。
【０１１８】
拡散シート１５ｅは、拡散部材の一例であり、光を拡散する。拡散シート１５ｅは、プリズムシート１５ｄの面１５ｄ＿２と導光板１３の入射面１３ａとの間に配置される。具体的には、拡散シート１５ｅは、導光板１３の入射面１３ａに沿って設けられるシート状の部材である。拡散シート１５ｅは、プリズムシート１５ｄから出射された光を拡散して、導光板１３の入射面１３ａに入射させる。これにより、第２照明ユニットＰＬ２は、拡散光を出射することができる。
【０１１９】
ここで、線状光源１５（より具体的には、拡散シート１５ｅ）の輝度が均一な領域の長さ（Ｘ軸方向における寸法）が、導光板１３の入射面１３ａの長さ（Ｘ軸方向における寸法）以上であることが好ましい。なお、上記の輝度が均一な領域の長さとは、厚み方向（Ｙ軸方向）に平均化し、幅方向（Ｚ軸方向）を１ｍｍ以下、好ましくは０．５ｍｍ以下の分解能で得られた輝度の最大値と最小値との比（最小値／最大値）が６０パーセント以上、好ましくは、８０パーセント以上となる領域の長さのことである。
【０１２０】
次に、図８〜図１２を用いて、実施形態に係るライトバー１５ｃについて説明する。図８は、実施形態に係るライトバー１５ｃを説明するための図である。図８に示すように、ライトバー１５ｃは、ライトバー１５ｃの長手方向（Ｘ軸方向）において、入光面１５ｃ＿１から中心１５ｃ＿５（ライトバー１５ｃの長手方向における中心）に向かうにつれて、厚み（Ｙ軸方向における寸法）が小さくなる楔形状の第１部分１５ｃ＿６および第２部分１５ｃ＿７を有する。また、ライトバー１５ｃは、ライトバー１５ｃの長手方向において、入光面１５ｃ＿２から中心１５ｃ＿５に向かうにつれて、厚みが小さくなる楔形状の第３部分１５ｃ＿８および第４部分１５ｃ＿９を有する。図８に示すように、ＸＹ平面の断面視において、ライトバー１５ｃの形状は、中心１５ｃ＿５を通る線分であってＹ軸に平行な線分に対して線対称となる。
【０１２１】
図８に示すように、第１部分１５ｃ＿６は、出射面１５ｃ＿３の一部、および、出射面１５ｃ＿３の一部とは反対側の面１５ｃ＿１０を有する。第２部分１５ｃ＿７は、出射面１５ｃ＿３の一部、および、出射面１５ｃ＿３の一部とは反対側の面１５ｃ＿１１を有する。第３部分１５ｃ＿８は、出射面１５ｃ＿３の一部、および、出射面１５ｃ＿３の一部とは反対側の面１５ｃ＿１２を有する。第４部分１５ｃ＿９は、出射面１５ｃ＿３の一部、および、出射面１５ｃ＿３の一部とは反対側の面１５ｃ＿１３を有する。
【０１２２】
図９は、第１部分１５ｃ＿６および第２部分１５ｃ＿７の一部の拡大図である。図９に示すように、ＸＹ平面の断面視において、プリズムシート１５ｄの面１５ｄ＿２（図７参照）に平行な仮想的な面（ＸＺ平面に平行な面）１５ｃ＿１４と面１５ｃ＿１０との成す角の角度φ１は、面１５ｄ＿２に平行な仮想的な面（ＸＺ平面に平行な面）１５ｃ＿１５と面１５ｃ＿１１との成す角の角度φ２よりも大きい。同様に、ＸＹ平面の断面視において、面１５ｄ＿２に平行な仮想的な面と面１５ｃ＿１２（図８参照）との成す角の角度は、面１５ｄ＿２に平行な仮想的な面と面１５ｃ＿１３（図８参照）との成す角の角度よりも大きい。
【０１２３】
次に、図１０および図１１を参照して、実施形態に係るライトバー１５ｃの出射面１５ｃ＿３とは反対側の面１５ｃ＿４に形成されるプリズム１５ｃ＿１６を説明する。図１０および図１１は、実施形態に係るライトバー１５ｃの出射面１５ｃ＿３とは反対側の面１５ｃ＿４に形成されるプリズム１５ｃ＿１６を説明するための図である。ライトバー１５ｃの出射面１５ｃ＿３とは反対側の面１５ｃ＿４には、複数のプリズム１５ｃ＿１６がライトバー１５ｃの長手方向（Ｘ軸方向）に形成される。
【０１２４】
図１０は、図８に示すライトバー１５ｃの面１５ｃ＿４の長手方向（Ｘ軸方向）における中央付近の部分２１であって、中心１５ｃ＿５よりも入光面１５ｃ＿１側の部分２１に形成されるプリズム１５ｃ＿１６を説明するための図である。図１１は、図８に示すライトバー１５ｃの面１５ｃ＿４の長手方向における入光面１５ｃ＿１側の部分２２に形成されるプリズム１５ｃ＿１６を説明するための図である。
【０１２５】
図１０に示すように、ライトバー１５ｃの中央付近の部分２１における面１５ｃ＿４には、複数のプリズム１５ｃ＿１６が、ライトバー１５ｃの長手方向（Ｘ軸方向）に並んで形成されている。プリズム１５ｃ＿１６は、第４領域１５ｃ＿１７と第５領域１５ｃ＿１８とを有する。第４領域１５ｃ＿１７は、入光面１５ｃ＿１（図８参照）から中心１５ｃ＿５（図８参照）に向かう方向において、徐々に、出射面１５ｃ＿３から離れる領域である。第５領域１５ｃ＿１８は、入光面１５ｃ＿１（図８参照）から中心１５ｃ＿５（図８参照）に向かう方向において、徐々に、出射面１５ｃ＿３に近づく領域である。一のプリズム１５ｃ＿１６の第５領域１５ｃ＿１８は、一のプリズム１５ｃ＿１６に隣接する他のプリズム１５ｃ＿１６の第４領域１５ｃ＿１７に連続する。
【０１２６】
図１１に示すように、ライトバー１５ｃの入光面１５ｃ＿１側の部分２２における面１５ｃ＿４においても、同様に、複数のプリズム１５ｃ＿１６が、ライトバー１５ｃの長手方向（Ｘ軸方向）に並んで形成されている。
【０１２７】
なお、ＸＹ平面の断面視における複数のプリズム１５ｃ＿１６の形状は、中心１５ｃ＿５を通る線分であって、Ｙ軸方向と平行な線分に対して、線対称となる。
【０１２８】
ここで、ＸＹ平面の断面視におけるライトバー１５ｃの中心１５ｃ＿５におけるプリズム１５ｃ＿１６の第５領域１５ｃ＿１８と、プリズムシート１５ｄの面１５ｄ＿２に平行な仮想的な面１５ｃ＿１９との成す角の角度φ３（図１０参照）は、ライトバー１５ｃの端（ライトバー１５ｃの長手方向における両端）におけるプリズム１５ｃ＿１６の第５領域１５ｃ＿１８と面１５ｃ＿１９との成す角の角度φ４（図１１参照）よりも大きい。プリズム１５ｃ＿１６の第５領域１５ｃ＿１８と面１５ｃ＿１９との成す角の角度は、ライトバー１５ｃの中心１５ｃ＿５から端に向かうにつれて徐々に小さくなるように連続的に変化する。
【０１２９】
また、ＸＹ平面の断面視における第４領域１５ｃ＿１７と第５領域１５ｃ＿１８との成す角の角度は、ライトバー１５ｃの中心１５ｃ＿５におけるプリズム１５ｃ＿１６およびライトバー１５ｃの端におけるプリズム１５ｃ＿１６で共通の角度φ５である。
【０１３０】
ライトバー１５ｃの面１５ｃ＿４に形成されたプリズム１５ｃ＿１６により、ライトバー１５ｃの出射面１５ｃ＿３におけるＸ軸方向の配光（配光分布）および輝度分布を容易に制御することができる。この結果、導光板１３の出射面１３ｃにおけるＸ軸方向の配光分布および輝度分布を精度良く制御することができる。
【０１３１】
次に、図１２を参照して、実施形態に係るライトバー１５ｃの出射面１５ｃ＿３に形成されるプリズム１５ｃ＿２０を説明する。図１２は、実施形態に係るライトバー１５ｃの出射面１５ｃ＿３に形成されるプリズム１５ｃ＿２０を説明するための図である。図１２には、ライトバー１５ｃの側面が示されている。
【０１３２】
図１２に示すように、ライトバー１５ｃの出射面１５ｃ＿３に、複数のプリズム１５ｃ＿２０が、ライトバー１５ｃの幅方向（Ｚ軸方向）に並んで形成されている。プリズム１５ｃ＿２０は、第６領域１５ｃ＿２１と第７領域１５ｃ＿２２とを有する。第６領域１５ｃ＿２１は、ライトバー１５ｃの短手方向における一端１５ｃ＿２３（Ｚ軸のマイナス方向側の端）から他端１５ｃ＿２４（Ｚ軸のプラス方向側の端）に向かう方向において、徐々に、プリズムシート１５ｄの面１５ｄ＿２（図７参照）に近づく領域である。第７領域１５ｃ＿２２は、ライトバー１５ｃの短手方向における一端１５ｃ＿２３から他端１５ｃ＿２４に向かう方向において、徐々に、プリズムシート１５ｄの面１５ｄ＿２から離れる領域である。
【０１３３】
また、ＹＺ平面の断面視において、第６領域１５ｃ＿２１と第７領域１５ｃ＿２２との成す角（プリズム１５ｃ＿２０の頂角）の角度φ６は、たとえば、９０度である。また、第６領域１５ｃ＿２１とプリズムシート１５ｄの面１５ｄ＿２に平行な仮想的な面１５ｃ＿２５との成す角の角度φ７および第７領域１５ｃ＿２２と面１５ｃ＿２５との成す角の角度φ８は、たとえば、４５度である。
【０１３４】
ここで、たとえば、図１２に示すように、ライトバー１５ｃに入射された光８０の進路が、プリズム１５ｃ＿２０によりＹ軸方向と平行な方向に変更されて、進路が変更された光８０がプリズムシート１５ｄの一面１５ｄ＿１（図７参照）に入射する。このように、プリズム１５ｃ＿２０により、Ｚ軸方向の配光が制御される。また、ライトバー１５ｃの出射面１５ｃ＿３とは反対側の面１５ｃ＿４に上述したプリズム１５ｃ＿１６が形成されているため、出射面１５ｃ＿３に形成されたプリズム１５ｃ＿２０の頂角の変更等により、ライトバー１５ｃの出射面１５ｃ＿３におけるＺ軸方向の配光（配光分布）および輝度分布を容易に制御することができる。この結果、導光板１３の出射面１３ｃにおけるＹ軸方向の配光（配光分布）および輝度分布を容易に制御することができる。
【０１３５】
なお、プリズム１５ｃ＿２０の頂角の角度φ６を９０度にした場合に、導光板１３の出射面１３ｃにおけるＺ軸方向の配光が最も狭くなる。角度φ６を９０度よりも大きくすることで、導光板１３の出射面１３ｃにおけるＺ軸方向の配光が広くなる。
【０１３６】
また、ライトバー１５ｃは、プリズム１５ｃ＿２０に代えて、例えば、レンチキュラーレンズや、ドーム状の拡散素子を有してもよい。例えば、ライトバー１５ｃがレンチキュラーレンズや、ドーム状の拡散素子を有する場合、拡散シート１５ｅは省略されてもよい。
【０１３７】
次に、図１３および図１４を用いて、実施形態に係るプリズムシート１５ｄについて説明する。図１３および図１４は、実施形態に係るプリズムシート１５ｄについて説明するための図である。
【０１３８】
図１３は、図７に示すプリズムシート１５ｄの長手方向（Ｘ軸方向）における中央付近に形成されるプリズム１５ｄ＿３について説明するための図である。図１４は、図７に示すプリズムシート１５ｄの長手方向における一端側（Ｘ軸のマイナス方向側）に形成されるプリズム１５ｄ＿３について説明するための図である。プリズムシート１５ｄの一面１５ｄ＿１には、複数のプリズム１５ｄ＿３が、プリズムシート１５ｄの長手方向（Ｘ軸方向）に並んで形成されている。
【０１３９】
図１３に示すように、プリズムシート１５ｄの長手方向における中央付近の一面１５ｄ＿１には、複数のプリズム１５ｄ＿３が、プリズムシート１５ｄの長手方向（Ｘ軸方向）に並んで形成されている。プリズム１５ｄ＿３は、第８領域１５ｄ＿４と第９領域１５ｄ＿５とを有する。第８領域１５ｄ＿４は、プリズムシート１５ｄの長手方向における一端（Ｘ軸のマイナス方向側の端）から中心に向かう方向において、徐々に、面１５ｄ＿２から離れる領域である。第９領域１５ｄ＿５は、プリズムシート１５ｄの長手方向における一端（Ｘ軸のマイナス方向側の端）から中心に向かう方向において、徐々に、面１５ｄ＿２に近づく領域である。一のプリズム１５ｄ＿３の第９領域１５ｄ＿５の一端は、一のプリズム１５ｄ＿３の第８領域１５ｄ＿４の一端に連続する。一のプリズム１５ｄ＿３の第９領域１５ｄ＿５の他端は、一のプリズム１５ｄ＿３に隣接する他のプリズム１５ｄ＿３の第８領域１５ｄ＿４に連続する。一のプリズム１５ｄ＿３の第８領域１５ｄ＿４の他端は、一のプリズム１５ｄ＿３に隣接する他のプリズム１５ｄ＿３の第９領域１５ｄ＿５に連続する。
【０１４０】
図１３に示すように、プリズムシート１５ｄの一面１５ｄ＿１に入射された光８１の進路が、プリズム１５ｄ＿３によりＹ軸方向と平行な方向に変更されて、進路が変更された光８１が拡散シート１５ｅに入射する。より具体的には、たとえば、プリズム１５ｄ＿３の第８領域１５ｄ＿４に入射された光８１が、第９領域１５ｄ＿５により面１５ｄ＿２に向けて反射される。このように、プリズム１５ｄ＿３により、Ｘ軸方向の配光が制御される。
【０１４１】
図１４に示すように、プリズムシート１５ｄの一面１５ｄ＿１の長手方向における一端側（Ｘ軸のマイナス方向側）においても、同様に、複数のプリズム１５ｄ＿３が、プリズムシート１５ｄの長手方向（Ｘ軸方向）に並んで形成されている。
【０１４２】
なお、ＸＹ平面の断面視における複数のプリズム１５ｄ＿３の形状は、プリズムシート１５ｄの長手方向における中心を通る線分であって、Ｙ軸方向と平行な線分に対して、線対称となる。
【０１４３】
ここで、ＸＹ平面の断面視において、プリズムシート１５ｄの長手方向における中心を含む中央部におけるプリズム１５ｄ＿３の第８領域１５ｄ＿４と、面１５ｄ＿２に平行な仮想的な面１５ｄ＿６との成す角の角度φ１０（図１３参照）は、プリズムシート１５ｄの長手方向における端側のプリズム１５ｄ＿３の第８領域１５ｄ＿４と面１５ｄ＿６との成す角の角度φ１２（図１４参照）よりも小さい。すなわち、Ｘ軸方向における一面１５ｄ＿１の中央部に形成されたプリズム１５ｄ＿３の第８領域１５ｄ＿４の面１５ｄ＿２に対する角度（傾斜角度）φ１０は、Ｘ軸方向における一面１５ｄ＿１の端部に形成された第８領域１５ｄ＿４の面１５ｄ＿２に対する角度（傾斜角度）φ１２よりも小さい。
【０１４４】
また、ＸＹ平面の断面視において、プリズムシート１５ｄの長手方向における中心を含む中央部におけるプリズム１５ｄ＿３の第９領域１５ｄ＿５と、面１５ｄ＿６との成す角の角度φ１１（図１３参照）は、プリズムシート１５ｄの長手方向における端側のプリズム１５ｄ＿３の第９領域１５ｄ＿５と面１５ｄ＿６との成す角の角度φ１３（図１４参照）よりも大きい。すなわち、Ｘ軸方向における一面１５ｄ＿１の中央部に形成されたプリズム１５ｄ＿３の第９領域１５ｄ＿５の面１５ｄ＿２に対する角度（傾斜角度）φ１１は、Ｘ軸方向における一面１５ｄ＿１の端部に形成された第９領域１５ｄ＿５の面１５ｄ＿２に対する角度（傾斜角度）φ１３よりも大きい。
【０１４５】
また、ＸＹ平面の断面視における第８領域１５ｄ＿４と第９領域１５ｄ＿５との成す角の角度は、プリズムシート１５ｄの長手方向における中心を含む中央部におけるプリズム１５ｄ＿３およびプリズムシート１５ｄの長手方向における端側のプリズム１５ｄ＿３で共通の角度φ９である。
【０１４６】
なお、図１３に示すように、ＸＹ平面の断面視における複数のプリズム１５ｄ＿３の形状は、プリズムシート１５ｄの長手方向における中心を通る線分であって、Ｙ軸方向と平行な線分である線分７２または線分８３に対して、線対称となる。具体的には、線分７２は、一のプリズム１５ｄ＿３の第８領域１５ｄ＿４と一のプリズム１５ｄ＿３の第９領域１５ｄ＿５との成す角を通る線分であり、線分８３は、一のプリズム１５ｄ＿３の第９領域１５ｄ＿５と、一のプリズム１５ｄ＿３に隣接する他のプリズム１５ｄ＿３の第８領域１５ｄ＿４との境界を通る線分である。
【０１４７】
上述したように、ＸＹ平面の断面視における複数のプリズム１５ｄ＿３の形状は、プリズムシート１５ｄの長手方向における中心を通る線分であって、Ｙ軸方向と平行な線分に対して、線対称となる。このため、図１４に示すように、Ｘ軸方向において、プリズムシート１５ｄの長手方向における中心よりもＬＥＤ１５ａ側に形成されたプリズム１５ｄ＿３により、ＬＥＤ１５ｂが発した光８２であって、一面１５ｄ＿１に入射された光８２の進路がＹ軸方向と平行な方向に変更されて、進路が変更された光８２が拡散シート１５ｅ（図７参照）に入射する。このように、プリズムシート１５ｄの長手方向における中心よりもＬＥＤ１５ａ側に形成されたプリズム１５ｄ＿３により、ＬＥＤ１５ｂが発した光の配光制御を行うことができる。同様に、Ｘ軸方向において、プリズムシート１５ｄの長手方向における中心よりもＬＥＤ１５ｂ側に形成されたプリズム１５ｄ＿３により、ＬＥＤ１５ａが発した光の配光制御を行うことができる。この結果、ライトバー１５ｃの両側に配置されたＬＥＤ１５ａ，１５ｂのうち、一方のＬＥＤが断線（消灯）して、他方のＬＥＤのみが点灯する場合であっても、ＬＥＤ１５ａおよびＬＥＤ１５ｂの両方のＬＥＤが点灯する場合の配光分布と略同等の配光分布を維持することができる。
【０１４８】
なお、プリズムシート１５ｄの面１５ｄ＿２は、平面であるが、この面１５ｄ＿２に、図１３および図１４に示すように、Ｘ軸方向に複数の凸レンズ３０が並んだレンチキュラレンズが設けられてもよい。凸レンズ３０と面１５ｄ＿２との接触角を大きくすることで、Ｘ軸方向の配光を大きくすることができる。このように、凸レンズ３０と面１５ｄ＿２との接触角を設定することで、Ｘ軸方向の配光（配光分布）を容易に制御することができる。この結果、導光板１３の出射面１３ｃにおけるＸ軸方向の配光（配光分布）を容易に制御することができる。
【０１４９】
また、隣接する凸レンズ３０間のピッチ間隔を、隣接するプリズム１５ｄ＿３間のピッチ間隔よりも狭くすることで、Ｘ軸方向の輝度の均一性を容易に向上させることができる。この結果、導光板１３の出射面１３ｃにおけるＸ軸方向の輝度分布を容易に制御することができる。
【０１５０】
次に、図１５および図１６を用いて、実施形態に係る導光板１３について説明する。図１５および図１６は、実施形態に係る導光板１３について説明するための図である。
【０１５１】
図１５に示すように、線状光源１５から出射されて導光板１３の入射面１３ａに入射された光は、照明用の光として出射面１３ｃから第１の方向７０に出射されたり、照明用の光としても使用できるデザイン用の光として出射面１３ｃから第２の方向７１に出射されたりする。なお、第１の方向７０は、単一の方向ではなく、一定の範囲７０ａ内の方向である。同様に、第２の方向７１は、単一の方向ではなく、一定の範囲７１ａ内の方向である。また、照明用の光は、第１の光の一例であり、デザイン用の光は、第２の光の一例である。また、範囲７０ａ、または、範囲７０ａおよび範囲７１ａは、第１の照射範囲よりも広い第２の照射範囲の一例である。
【０１５２】
図１６に示すように、導光板１３は、導光板１３の出射面１３ｃとは反対側の主面１３ｄ（反対面１３ｄ）を有する。導光板１３の反対面１３ｄに、複数のプリズム１３ｅ（第２のプリズムの一例）が、導光板１３の短手方向（Ｙ軸方向）に並んで形成されている。また、複数のプリズム１３ｅは、導光板１３の長手方向（Ｘ軸方向）を第２の延在方向として延在している。つまり、複数のプリズム１３ｅの第２の延在方向と、上記した第１照明ユニットＰＬ１のプリズム４０ｈ（第１のプリズムの一例）の第１の延在方向とは、略平行である。
【０１５３】
本実施形態では、複数のプリズム１３ｅは、入射面１３ａ（図７参照）から終端面１３ｂ（図７参照）にかけて（Ｙ軸のマイナス方向側からＹ軸のプラス方向側にかけて）、出射面１３ｃから段階的に離れるように形成されている。
【０１５４】
プリズム１３ｅは、第１の領域１３ｇおよび第２の領域１３ｈを有する凸部１３ｆと、第３の領域１３ｉとを有する。凸部１３ｆは、出射面１３ｃとは反対側に突出する。なお、凸部１３ｆは、第１の凸部の一例である。
【０１５５】
第１の領域１３ｇは、反射フィルム１４（図７参照）により反射されて、終端面１３ｂから入射面１３ａに向かう光を、照明用の光として、出射面１３ｃから第１の方向７０（図１５参照）に出射させる領域である。
【０１５６】
たとえば、第１の領域１３ｇは、導光板１３の入射面１３ａから終端面１３ｂに向かう方向（Ｙ軸のプラス方向）において、徐々に、出射面１３ｃから離れる領域である。
【０１５７】
第１の領域１３ｇは、領域１３ｇ＿１および領域１３ｇ＿２（複数の領域）を含む。領域１３ｇ＿１および領域１３ｇ＿２は、平面である。出射面１３ｃに対する領域１３ｇ＿２の傾斜角度は、出射面１３ｃに対する領域１３ｇ＿１の傾斜角度よりも大きい。一のプリズム１３ｅの領域１３ｇ＿１の一端は、一のプリズム１３ｅの第３の領域１３ｉの一端に接続されている。また、一のプリズム１３ｅの領域１３ｇ＿１の他端は、一のプリズム１３ｅの領域１３ｇ＿２の一端に接続されている。一のプリズム１３ｅの領域１３ｇ＿２の他端は、一のプリズム１３ｅの後述する領域１３ｈ＿２に接続されている。
【０１５８】
たとえば、領域１３ｇ＿１は、反射フィルム１４により反射されて、終端面１３ｂから入射面１３ａに向かう光７３を反射して、照明用の光として、出射面１３ｃから第１の方向７０に出射させる。また、領域１３ｇ＿２は、反射フィルム１４により反射されて、終端面１３ｂから入射面１３ａに向かう光７４を反射して、照明用の光として、出射面１３ｃから第１の方向７０に出射させる。したがって、第２照明ユニットＰＬ２は、出射面１３ｃに対する領域１３ｇ＿１，１３ｇ＿２の傾斜角度が調整されること等により、照明用の光の配光（言い換えれば、光の拡散程度）を制御することができる。なお、図１５を参照して説明したように第１の方向７０は単一の方向ではなく一定の範囲７０ａ内の方向を指すが、領域１３ｇ＿１により出射面１３ｃから第１の方向７０に出射される光と、領域１３ｇ＿２により出射面１３ｃから第１の方向７０に出射される光とは、一定の範囲７０ａ内で、同一の方向に進む光であってもよいし、異なる方向に進む光であってもよい。
【０１５９】
ここで、本実施形態では、第１の領域１３ｇにより、多くの光が反射されて配光制御されるように、複数のプリズム１３ｅが、入射面１３ａ（図７参照）から終端面１３ｂ（図７参照）にかけて出射面１３ｃから段階的に離れるように形成されている。したがって、第２照明ユニットＰＬ２は、効率的に、照明用の光の配光を制御することができる。
【０１６０】
第２の領域１３ｈは、入射面１３ａに入射された光であって、入射面１３ａから終端面１３ｂに向かう光の少なくとも一部を、デザイン用の光として、出射面１３ｃから第２の方向７１（図１５参照）に出射させる領域である。
【０１６１】
たとえば、第２の領域１３ｈは、導光板１３の入射面１３ａから終端面１３ｂに向かう方向（Ｙ軸のプラス方向）において、徐々に、出射面１３ｃに近づく領域である。第２の領域１３ｈは、入射面１３ａに入射された光であって、入射面１３ａから終端面１３ｂに向かう光を反射して、出射面１３ｃから第２の方向７１に出射させる。
【０１６２】
第２の領域１３ｈは、領域１３ｈ＿１および領域１３ｈ＿２（複数の領域）を含む。領域１３ｈ＿１および領域１３ｈ＿２は、平面である。出射面１３ｃに対する領域１３ｈ＿２の傾斜角度は、出射面１３ｃに対する領域１３ｈ＿１の傾斜角度よりも大きい。一のプリズム１３ｅの領域１３ｈ＿１の一端は、一のプリズム１３ｅに隣接する他のプリズム１３ｅの第３の領域１３ｉに接続されている。また、一のプリズム１３ｅの領域１３ｈ＿１の他端は、一のプリズム１３ｅの領域１３ｈ＿２の一端に接続されている。一のプリズム１３ｅの領域１３ｈ＿２の他端は、一のプリズム１３ｅの領域１３ｇ＿２に接続されている。
【０１６３】
たとえば、領域１３ｈ＿１は、入射面１３ａから終端面１３ｂに向かう光７５を反射して、デザイン用の光として、出射面１３ｃから第２の方向７１に出射させる。したがって、第２照明ユニットＰＬ２は、出射面１３ｃに対する領域１３ｈ＿１の傾斜角度が調整されること等により、デザイン用の光の配光を制御することができる。ここで、領域１３ｈ＿２は、入射面１３ａから終端面１３ｂに向かう光７６を反射して、照明用の光として、出射面１３ｃから第１の方向７０に出射させる。
【０１６４】
第３の領域１３ｉは、出射面１３ｃと平行または略平行な領域である。図１７は、実施形態に係る出射面１３ｃに対する第３の領域１３ｉの傾斜角度の一例を説明するための図である。図１７の例に示すように、たとえば、第３の領域１３ｉは、出射面１３ｃと平行な仮想的な領域１３ｊとの成す角の角度φ１４が、０度以上４度以下となる領域である。好ましくは、角度φ１４が、０度以上１度以下である。さらに好ましくは、角度φ１４が、０度以上０．５度以下である。
【０１６５】
上述したように、第３の領域１３ｉが、出射面１３ｃと平行または略平行な領域であるため、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０１６６】
ここで、プリズム１３ｅのＹ軸方向における長さ（プリズム１３ｅのＹ軸方向における寸法）Ｄ４に対する第３の領域１３ｉのＹ軸方向における長さ（第３の領域１３ｉのＹ軸方向における寸法）Ｄ３の割合Ｐ１は、０．６（６０％）以上１．０（１００％）未満である。なお、割合Ｐ１は、Ｐ１＝Ｄ３／Ｄ４で表される。
【０１６７】
なお、長さＤ４は、第１の領域１３ｇのＹ軸方向における長さ（第１の領域１３ｇのＹ軸方向における寸法）Ｄ１と、第２の領域１３ｈのＹ軸方向における長さ（第２の領域１３ｈのＹ軸方向における寸法）Ｄ２と、長さＤ３との和である。すなわち、長さＤ４は、Ｄ４＝Ｄ１＋Ｄ２＋Ｄ３で表される。
【０１６８】
以上、実施形態に係る第２照明ユニットＰＬ２について説明した。第２照明ユニットＰＬ２は、導光板１３と、反射フィルム１４とを備える。導光板１３は、線状光源１５から出射された光が入射される入射面１３ａ、および、入射面１３ａに入射された光を出射する出射面１３ｃを有する。反射フィルム１４は、導光板１３の入射面１３ａとは反対側の終端面１３ｂに対向し、終端面１３ｂから漏れる光を反射する。導光板１３の出射面１３ｃとは反対側の主面１３ｄには、反射フィルム１４により反射されて終端面１３ｂから入射面１３ａに向かう光を、照明用の光として出射面１３ｃから第１の方向７０に出射させるとともに、入射面１３ａに入射された光であって入射面１３ａから終端面１３ｂに向かう光を、デザイン用の光として出射面１３ｃから第１の方向７０と異なる第２の方向７１に出射させる複数のプリズム１３ｅが、入射面１３ａから終端面１３ｂにかけて、出射面１３ｃから段階的に離れるように形成されている。
【０１６９】
また、第２照明ユニットＰＬ２では、プリズム１３ｅは、導光板１３の出射面１３ｃとは反対側に突出する凸部１３ｆを有する。凸部１３ｆは、入射面１３ａから終端面１３ｂに向かう方向において、徐々に、出射面１３ｃから離れる領域であって、終端面１３ｂから入射面１３ａに向かう光を照明用の光として出射面１３ｃから第１の方向７０に出射させる領域である第１の領域１３ｇを有する。第１の領域１３ｇは、複数の領域（複数の平面）１３ｇ＿１，１３ｇ＿２を含む。なお、第１の領域１３ｇは、１つの平面の領域または１つの曲面の領域を含んでもよいし、３つ以上の複数の平面の領域を含んでもよいし、３つ以上の複数の曲面の領域を含んでもよい。また、第１の領域１３ｇは、１つ以上の平面の領域、および、１つ以上の曲面の領域を含んでもよい。
【０１７０】
また、第２照明ユニットＰＬ２では、凸部１３ｆは、入射面１３ａから終端面１３ｂに向かう方向において、徐々に、出射面１３ｃに近づく領域であって、少なくとも、入射面１３ａから終端面１３ｂに向かう光を、デザイン用の光として出射面１３ｃから第２の方向７１に出射させる領域である第２の領域１３ｈを有する。第２の領域１３ｈは、複数の領域（複数の平面）１３ｈ＿１，１３ｈ＿２を含む。なお、第２の領域１３ｈは、１つの平面の領域または１つの曲面の領域を含んでもよいし、３つ以上の複数の平面の領域を含んでもよいし、３つ以上の複数の曲面の領域を含んでもよい。また、第２の領域１３ｈは、１つ以上の平面の領域、および、１つ以上の曲面の領域を含んでもよい。
【０１７１】
また、第２照明ユニットＰＬ２では、第２の領域１３ｈに含まれる複数の領域１３ｈ＿１，１３ｈ＿２のうち、１つ（領域１３ｈ＿２）は、入射面１３ａから終端面１３ｂに向かう光を、照明用の光として出射面１３ｃから第１の方向７０に出射させる。なお、第２照明ユニットＰＬ２において、第２の領域１３ｈに２つ以上の複数の領域（複数の平面または複数の曲面）が含まれる場合には、第２の領域１３ｈに含まれる複数の領域のうち、少なくとも１つが、入射面１３ａから終端面１３ｂに向かう光を、照明用の光として出射面１３ｃから第１の方向７０に出射させてもよい。
【０１７２】
上述した構成を有する第２照明ユニットＰＬ２によれば、上述したように、照明用の光の配光、および、デザイン用の光の配光の２種類の光の配光を制御することができる。なお、第２照明ユニットＰＬ２は、照明用の光およびデザイン用の光の２種類の光を出射可能な構成を示したが、第２照明ユニットＰＬ２は、少なくとも照明用の光（拡散光）を出射可能な構成であればよい。
【０１７３】
また、上述したように、実施形態に係る第２照明ユニットＰＬ２では、導光板１３の一端側に線状光源１５が配置され、他端側に厚さが比較的薄い反射フィルム１４が配置される。また、実施形態では、第１の領域１３ｇにより、多くの光が反射されて配光制御されるように、複数のプリズム１３ｅが、入射面１３ａから終端面１３ｂにかけて出射面１３ｃから段階的に離れるように形成されている。したがって、第２照明ユニットＰＬ２は、効率的に、照明用の光の配光を制御することができる。
【０１７４】
次に、図１８を参照して、変形例１に係る第２照明ユニットＰＬ２００について説明する。変形例１の説明において、実施形態に係る第２照明ユニットＰＬ２と同様の構成については、同一の符号を付して説明を省略する。図１８は、変形例１に係る導光板１３について説明するための図である。
【０１７５】
図１８に示すように、導光板１３の主面１３ｄに、複数のプリズム１３ｅ，１３ｍが、導光板１３の短手方向（Ｙ軸方向）に、後述する発光パターン７９の明部７９ａ（図１９参照）および暗部７９ｂ（図１９参照）に応じて形成されている。変形例１では、複数のプリズム１３ｅ，１３ｍは、入射面１３ａ（図７参照）から終端面１３ｂ（図７参照）にかけて、出射面１３ｃから段階的に離れるように形成されている。
【０１７６】
変形例１に係るプリズム１３ｍは、入射面１３ａに入射された光であって入射面１３ａから終端面１３ｂに向かう光、および、反射フィルム１４により反射されて終端面１３ｂから入射面１３ａに向かう光を、照明用の光として出射面１３ｃから第１の方向７０（図１５参照）に出射させる。プリズム１３ｍは、出射面１３ｃとは反対側に突出する凸部１３ｎと、第３の領域１３ｉとを有する。凸部１３ｎは、第４の領域１３ｋと、領域（第５の領域）１３ｈ＿２とを有する。なお、凸部１３ｎは、第２の凸部の一例である。
【０１７７】
第４の領域１３ｋは、反射フィルム１４（図７参照）により反射されて、終端面１３ｂから入射面１３ａに向かう光を、照明用の光として、出射面１３ｃから第１の方向７０（図１５参照）に出射させる領域である。
【０１７８】
たとえば、第４の領域１３ｋは、導光板１３の入射面１３ａから終端面１３ｂに向かう方向（Ｙ軸のプラス方向）において、徐々に、出射面１３ｃから離れる領域である。
【０１７９】
第４の領域１３ｋは、領域１３ｋ＿１および領域１３ｇ＿２（複数の領域）を含む。領域１３ｋ＿１は、平面である。出射面１３ｃに対する領域１３ｋ＿１の傾斜角度は、出射面１３ｃに対する領域１３ｇ＿１（図１６参照）の傾斜角度と同一である。ただし、領域１３ｋ＿１のＹ軸方向における長さは、領域１３ｇ＿１のＹ軸方向における長さよりも短い。
【０１８０】
なお、第４の領域１３ｋは、１つの平面の領域または１つの曲面の領域を含んでもよいし、３つ以上の複数の平面の領域を含んでもよいし、３つ以上の複数の曲面の領域を含んでもよい。また、第４の領域１３ｋは、１つ以上の平面の領域、および、１つ以上の曲面の領域を含んでもよい。
【０１８１】
同様に、プリズム１３ｍが、第５の領域１３ｈ＿２として、１つの平面の領域を含む場合について例示したが、第５の領域１３ｈ＿２は、１つの曲面の領域を含んでもよいし、３つ以上の複数の平面の領域を含んでもよいし、３つ以上の複数の曲面の領域を含んでもよい。また、第５の領域１３ｈ＿２は、１つ以上の平面の領域、および、１つ以上の曲面の領域を含んでもよい。
【０１８２】
一のプリズム１３ｍの領域１３ｋ＿１の一端は、一のプリズム１３ｍの第３の領域１３ｉの一端に接続されている。一のプリズム１３ｍの第３の領域１３ｉの他端は、一のプリズム１３ｍに隣接する他のプリズム１３ｍの領域１３ｈ＿２、または、一のプリズム１３ｍに隣接するプリズム１３ｅの領域１３ｈ＿１（図１６参照）に接続されている。また、一のプリズム１３ｍの領域１３ｋ＿１の他端は、一のプリズム１３ｍの領域１３ｇ＿２の一端に接続されている。一のプリズム１３ｍの領域１３ｇ＿２の他端は、一のプリズム１３ｍの領域１３ｈ＿２の一端に接続されている。一のプリズム１３ｍの領域１３ｈ＿２の他端は、一のプリズム１３ｍに隣接するプリズム（プリズム１３ｍまたは１３ｅ）の第３の領域１３ｉに接続されている。
【０１８３】
たとえば、領域１３ｋ＿１は、反射フィルム１４により反射されて、終端面１３ｂから入射面１３ａに向かう光を反射して、照明用の光として、出射面１３ｃから第１の方向７０に出射させる。
【０１８４】
プリズム１３ｅは、実施形態において図１５を参照して説明したように、デザイン用の光を出射面１３ｃから第２の方向７１（図１５参照）に出射させる領域１３ｈ＿１を有するため、第２の方向７１から利用者が見た場合に、相対的に明るく感じる部分である。また、プリズム１３ｍは、第５の領域として光を出射面１３ｃから第１の方向７０に出射させる領域１３ｈ＿２のみを有し、領域１３ｈ＿１のようにデザイン用の光を出射面１３ｃから第２の方向７１に出射させる領域を有さないため、第２の方向７１から利用者が見た場合に、相対的に暗く感じる部分である。すなわち、プリズム１３ｍは、後述する暗部７９ｂ（図１９参照）に対応し、プリズム１３ｅは、後述する明部７９ａ（図１９参照）に対応する。
【０１８５】
次に、図１９を参照して、変形例１において、第２の方向７１（図１５参照）から利用者が第２照明ユニットＰＬ２００を観察した場合に利用者により観察される発光状態（発光パターン）の一例について説明する。図１９は、変形例１において、第２の方向７１から利用者が第２照明ユニットＰＬ２００を観察した場合の発光パターン７９の一例について説明するための図である。
【０１８６】
図１９に示すように、利用者により観察される発光パターン７９は、輝度が相対的に高い明部７９ａと、輝度が相対的に低い暗部７９ｂとを有する。ここで、利用者は、利用者に向けて比較的光が出射されているプリズム１３ｅを観察することで明部７９ａを認識し、利用者に向けて比較的光が出射されていない上述したプリズム１３ｍを観察することで暗部７９ｂを認識する。すなわち、図１９において、明部７９ａの位置にはプリズム１３ｅが形成されており、暗部７９ｂの位置にはプリズム１３ｍが形成されている。より具体的には、図１９に示すように、たとえば、明部７９ａに対応するプリズム１３ｅおよび暗部７９ｂに対応するプリズム１３ｍが交互にＸ軸方向に一列に並んだプリズム列が、Ｙ軸方向に、複数形成されている。また、図１９の例では、プリズム１３ｅまたはプリズム１３ｍが形成されるＸ軸方向の位置は、発光パターン７９の明部７９ａまたは暗部７９ｂの位置に対応するように、プリズム列ごとにずれている。ここで、Ｙ軸方向は、入射面１３ａから終端面１３ｂに向かう方向であり、Ｘ軸方向は、Ｙ軸方向に交差する方向である。なお、図１９には、全てのプリズム１３ｅ，１３ｍが図示されているのではなく、一部のプリズム１３ｅ，１３ｍが図示されている。
【０１８７】
プリズム１３ｅおよびプリズム１３ｍの長さや数、配置位置等を調整することで、発光パターン７９の明部７９ａおよび暗部７９ｂの輝度を調整したり、発光パターンを変更したりすることができる。また、プリズム１３ｅにおける領域１３ｈ＿１の長さ（Ｙ軸方向における寸法）を調整することで、明部７９ａの明るさの階調を制御することができるため、デザインの表現性を向上することができる。
【０１８８】
なお、図１８の例では、第５の領域として、領域１３ｈ＿２が、入射面１３ａから終端面１３ｂに向かう光を照明用の光として出射面１３ｃから第１の方向７０に出射させる場合について説明した。しかしながら、第５の領域として、入射面１３ａから終端面１３ｂに向かう方向において徐々に出射面１３ｃに近づく領域であって、入射面１３ａから終端面１３ｂに向かう光を、デザイン用の光として出射面１３ｃから第２の方向７１に出射させ、かつ、図１６を参照して説明した実施形態の第２の領域１３ｈのうち出射面１３ｃから第２の方向７１（図１５参照）にデザイン用の光を出射させる領域１３ｈ＿１よりも小さい領域を採用してもよい。このような第５の領域を第２の方向７１から観察した場合に、第５の領域に対応する出射面１３ｃの部分の輝度は、実施形態の第２の領域１３ｈに対応する出射面１３ｃの部分の輝度よりも小さくなる。そのため、このような第５の領域は、暗部７９ｂに対応する領域となる。
【０１８９】
以上、変形例１に係る第２照明ユニットＰＬ２００について説明した。変形例１に係る第２照明ユニットＰＬ２００によれば、実施形態と同様に、ドームランプとして広範囲（第２の照射範囲）を照射できるとともに、第２の方向において、様々な形状のデザイン光を照射することができる。
【０１９０】
なお、上述した実施形態では、導光板１３のプリズム１３ｅ（第２のプリズム）は、第１の領域１３ｇおよび第２の領域１３ｈにより形成される角張った凸部である場合を示したが、例えば、第１の領域１３ｇおよび第２の領域１３ｈを合わせて１つの曲面とした円弧状の凸部であってもよい。
【０１９１】
また、第１の領域１３ｇおよび第２の領域１３ｈそれぞれは、２つの平面により形成されたが、例えば、第１の領域１３ｇおよび第２の領域１３ｈそれぞれは、１つの平面により形成されてもよい。あるいは、第１の領域１３ｇおよび第２の領域１３ｈそれぞれを円弧状の面としてもよい。
【０１９２】
また、導光板１３のプリズム１３ｅは、凸部である場合に限定されるものではなく、凹部であってもよい。
【０１９３】
上述してきたように、実施形態に係る面状照明装置ＰＬは、第１照明ユニットＰＬ１と、第２照明ユニットＰＬ２とを備える。第１照明ユニットＰＬ１は、第１の延在方向に延在する第１のプリズム４０ｈによって配光制御された出射光が第１の照射範囲で被照射体へ出射される。第２照明ユニットＰＬ２は、第１照明ユニットＰＬ１に対して被照射体とは反対側に設けられ、第２の延在方向に延在する第２のプリズムによって配光制御された出射光が前記第１のプリズムを通過し、前記第１の照射範囲よりも広い第２の照射範囲で前記被照射体へ出射される。この配置関係により、モアレ縞の発生を抑制することができる。
【０１９４】
なお、上述した実施形態では、第１照明ユニットＰＬ１における導光板４０のプリズム４０ｈ（第１のプリズム）の第１の延在方向と、第２照明ユニットＰＬ２における導光板１３のプリズム１３ｅ（第２のプリズム）の第２の延在方向とは、略平行である場合について説明したが、第１の延在方向および第２の延在方向が略平行ではなく、互いに交差する方向であってもよい。
【０１９５】
例えば、第１照明ユニットＰＬ１を第２照明ユニットＰＬ２に対して、ＸＹ平面上で所定角度だけ回転させて配置する。これにより、導光板４０におけるプリズム４０ｈの第１の延在方向が、導光板１３におけるプリズム１３ｅの第２の延在方向に対して所定角度だけバイアスがかかる。つまり、プリズム４０ｈの第１の延在方向およびプリズム１３ｅの第２の延在方向が所定角度だけずれた状態で交差する。これにより、第２照明ユニットＰＬ２から出射された光が第１照明ユニットＰＬ１のプリズム４０ｈの干渉をうけにくくなるため、モアレ縞の発生をより抑制することができる。
【０１９６】
なお、第１照明ユニットＰＬ１を回転させる角度は、面状照明装置ＰＬとしての意匠性を損なわず、また、第１照明ユニットＰＬ１の光軸ずれを乗員が認識できない角度（例えば、０．３度〜１度程度）が好ましい。
【０１９７】
また、第１照明ユニットＰＬ１を所定角度だけ回転させる場合に限らず、第２照明ユニットＰＬ２を所定角度だけ回転させてもよい。つまり、第１照明ユニットＰＬ１および第２照明ユニットＰＬ２のうちいずれか一方を、他方に対して所定角度だけ回転させる。
【０１９８】
なお、第１照明ユニットＰＬ１または第２照明ユニットＰＬ２を回転させることで、プリズム４０ｈおよびプリズム１３ｅそれぞれの延在方向を交差させる場合に限らず、例えば、導光板１３，４０の製造に用いる金型の設計を変更してもよい。具体的には、導光板１３，４０の金型は、プリズム４０ｈの第１の延在方向およびプリズム１３ｅの第２の延在方向が交差するように設計される。
【０１９９】
また、上記実施形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【０２００】
１ａ  第１照明部、１ｂ  第２照明部、２  光源ユニット、１０，１５ａ，１５ｂ  ＬＥＤ、１１，５０  ハウジングフレーム、１２ａ，１２ｂ，６０  ＦＰＣ、１３，４０  導光板、１４  反射フィルム、１５  線状光源、１５ｃ  ライトバー、１５ｄ  プリズムシート、２０  ＴＩＲ−フレネル複合レンズ、３０  視野制御フィルム、６３  鏡面反射フィルム、４０ｈ  プリズム（第１のプリズム）、１３ｅ，１３ｍ  プリズム（第２のプリズム）、ＰＬ  面状照明装置、ＰＬ１  第１照明ユニット、ＰＬ２  第２照明ユニット
【図１】
2019207790.tif 000003
【図２Ａ】
2019207790.tif 000004
【図２Ｂ】
2019207790.tif 000005
【図３Ａ】
2019207790.tif 000006
【図３Ｂ】
2019207790.tif 000007
【図４Ａ】
2019207790.tif 000008
【図４Ｂ】
2019207790.tif 000009
【図５Ａ】
2019207790.tif 000010
【図５Ｂ】
2019207790.tif 000011
【図６Ａ】
2019207790.tif 000012
【図６Ｂ】
2019207790.tif 000013
【図７】
2019207790.tif 000014
【図８】
2019207790.tif 000015
【図９】
2019207790.tif 000016
【図１０】
2019207790.tif 000017
【図１１】
2019207790.tif 000018
【図１２】
2019207790.tif 000019
【図１３】
2019207790.tif 000020
【図１４】
2019207790.tif 000021
【図１５】
2019207790.tif 000022
【図１６】
2019207790.tif 000023
【図１７】
2019207790.tif 000024
【図１８】
2019207790.tif 000025
【図１９】
2019207790.tif 000026